(57)【特許請求の範囲】
【請求項１】
地盤に水抜き穴を有する背面版と底版とからなる擁壁を構築した後、前記底版上に合成樹脂発泡体を積み重ねて水受けを形成してから、前記背面版の背面側を土砂で埋め戻して覆土して、この背面土内を浸透する浸透水を前記水受けで受けると共に擁壁の水抜き穴に導いて排水するようにしたことを特徴とする擁壁の築造方法。
【請求項２】
前記水受けの上方に部分的に落ち込んだ排水路を設けて、擁壁の背面版の背面側に埋め戻した背面土内を浸透する浸透水を水受けで受けると共に、前記排水路を通じて擁壁の背面版に設けた水抜き穴に導いて排水するようにしたことを特徴とする請求項１に記載の擁壁の築造方法。
【請求項３】
前記擁壁の背面版の水抜き穴の下方から天端付近までの背面域に透水マットを敷設して、背面土内を浸透する浸透水を吸水して前記水抜き穴に導き流すようにしたことを特徴とする請求項１又は２に記載の擁壁の築造方法。
【請求項４】
前記水受けを擁壁の底版に載せる嵩上げ台と、該嵩上げ台に積み重ねる上載せ台及び勾配台で構成して、擁壁の底版に嵩上げ台を敷き詰めると共に、この上方に上載せ台及び勾配台を所定の組み合わせで積み重ねて前記排水路を設けるようにしたことを特徴とする請求項２又は３に記載の擁壁の築造方法。
【請求項５】
前記水受けの嵩上げ台は、その内部が中空であることを特徴とする請求項４に記載の擁壁の築造方法。
【発明の詳細な説明】
【０００１】
【発明の属する利用分野】
この発明は、地盤に擁壁を構築するための擁壁の築造方法に関する。
【０００２】
【従来の技術】
従来では、例えば、図１０に示すように、地盤Ｇに擁壁１を構築して、その背面版１２の水抜き穴１２ａ下に土砂等で支えて水受けコンクリート５を設けた後、この上に栗石、砂利又は砕石等の隙間形成材６を積み上げて、最終的に背面版の背面側を全体的に土砂（背面土Ｇ１ａ）で埋め戻しする施工方法が採られている。
【０００３】
ここでの水受けコンクリート５は、背面土Ｇ１ａに浸透する雨水等の浸透水を前記隙間形成材６を通じて背面版１２の水抜き穴１２ａにまで導いて排水する役目を担う。
【０００４】
【発明が解決しようとする課題】
しかしながら、このような従来の技術によると、水受けコンクリート５自体に対する問題点が懸念されている。具体的には、水受けコンクリート５の養生硬化時間に２〜３日程度を要するため、作業の中断を余儀なくされて工期が長びくという不都合が生じる。
【０００５】
そして、水受けコンクリート５は厚さ５０ｍｍ程度の比較的薄いものであるが、それでも施工の際にポンプ車を必要とする場合があって、コスト高の原因となると共に、この水受けコンクリート５の上に通水性を高めるために積み上げる前記の栗石、砂利又は砕石等の隙間形成材６や、背面土Ｇ１ａの重さ等によって亀裂割れが起こる場合があって、水受けの役目が損なわれるという機能面での不都合が生じる。
【０００６】
これらに加えて、擁壁１の背面版１２の背面側全体を、隙間形成材６や土砂で埋め戻しするので、擁壁１の自重、土砂の埋め戻しによる背面土Ｇ１ａの重さ、土圧Ｇｐによって、底版１１下の地盤Ｇに伝わる力Ｐが矢印のように背面版１２に近づく程大きくなるので、擁壁１が傾き、或いは、倒壊する場合がある。それと共に、地盤Ｇに伝わる力ｐや地耐力の程度によっては沈下を起こす場合もあって、特に軟質地盤では安定化を図れないという不都合が生じる。このような欠点を防止するために、底版１１下に鋼管杭を打つことで、或いは、地盤改良することで沈下対策が採られているが、施工の複雑化、工期の長期化、コスト高等になるという問題点がある。
【０００７】
この発明は、前記事情に鑑みてなされたもので、その目的は、水受けをコンクリート製から合成樹脂発泡体に代えることによって、コスト削減を図って経済面での不利益を抑えると共に、工期の短縮化によって施工性の向上を図ることにあって、加えて、背面土内に浸透する雨水等の浸透水の排水を高めて機能面の充実を図り、更に、背面土の重さを軽減して擁壁の傾き、倒壊、沈下を防いで軟質地盤への適用を容易にして、その適用範囲の拡大を図ることにある。
【０００８】
【課題を解決するための手段】
前記目的を達成するための手段として、請求項１の発明では、地盤に水抜き穴を有する背面版と底版とからなる擁壁を構築した後、前記底版上に合成樹脂発泡体を積み重ねて水受けを形成してから、前記背面版の背面側を土砂で埋め戻して覆土して、この背面土内を浸透する浸透水を前記水受けで受けると共に擁壁の水抜き穴に導いて排水するようにしたことに特徴をもたせた。
【０００９】
この場合、背面土内を浸透する雨水等の浸透水は水受けの上方に到達すると、背面版の水抜き穴に導き流される。また、合成樹脂発泡体を積み重ねて形成した水受けは嵩高いものとなり、そのために擁壁の背面版の背面側に土砂で埋め戻すときの背面土の量を少なくできるので、背面土の重さは軽減する。それと共に、水受け自体も軽量化されるので、擁壁の自重、背面土の重さ、土圧によって地盤に伝わる力が分散される。
【００１０】
そして、請求項２の発明では、請求項１の発明において、前記水受けの上方に部分的に落ち込んだ排水路を設けて、擁壁の背面版の背面側に埋め戻した背面土内を浸透する浸透水を水受けで受けると共に、前記排水路を通じて擁壁の背面版に設けた水抜き穴に導いて排水するようにしたことに特徴をもたせた。
【００１１】
これによって、背面土内に浸透する雨水等の浸透水は、水受けに到達して排水路に流水して擁壁の背面版の水抜き穴に迅速に導き流されて排水される。
【００１２】
また、請求項３の発明では、請求項１又は２の発明において、前記擁壁の背面版の水抜き穴の下方から天端付近までの背面域に透水マットを敷設して、背面土内を浸透する浸透水を吸水して前記水抜き穴に導き流すようにしたことに特徴をもたせた。
【００１３】
ここでは、背面土内を浸透する雨水等の浸透水は、透水マットで吸水されて、そこから滲み出る浸透水が水抜き穴に効率よく導き流されて排水される。
【００１４】
更に、請求項４の発明では、請求項２又は３の発明において、前記水受けを擁壁の底版に載せる嵩上げ台と、該嵩上げ台に積み重ねる上載せ台及び勾配台で構成して、擁壁の底版に嵩上げ台を敷き詰めると共に、この上方に上載せ台及び勾配台を所定の組み合わせで積み重ねて前記排水路を設けるようにしたことに特徴をもたせた。
【００１５】
このような水受けでは、擁壁の底版に嵩上げ台を敷き詰め、その上に上載せ台及び勾配台が所定の組み合わせで積み重ねられ、その際に必要に応じて上載せ台の積み数の増減による部分的な高さ調整及び勾配台の配置を定めて、排水路の形態、位置の設定を自由に行なう。
【００１６】
そして更に、請求項５の発明では、請求項４の発明において、前記水受けの嵩上げ台は、その内部が中空であることに特徴をもたせた。
【００１７】
この場合、嵩上げ自体が軽量になって水受け全体の軽量化につながって、擁壁の底版下の地盤への負担が更に抑えられる。
【００１８】
【発明の実施の形態】
以下、この発明の実施の一形態について、図面に基づいて説明する。
【００１９】
この発明に係る擁壁１の築造方法は、図１乃至図９に示すように、地盤Ｇに擁壁１を構築した後、その擁壁１の底版１１に従来の水受けコンクリートに代わる軽量で丈夫な水受け２を設けて、背面版１２の背面側を土砂（背面土Ｇ１ａ）で埋め戻して覆土するものである。
【００２０】
例えば、地盤Ｇの一定域を盛土して高地盤Ｇ１  を造成するような場合について説明すると、図１乃至図３に示すように、地盤Ｇの掘削部Ｇａに擁壁１を構築した後、その底版１１に嵩高い水受け２を設けるが、ここでの水受け２には、型内発泡法、押出発泡法等によって成形された合成樹脂発泡体（ＥＰＳ：Ｅｘｐａｎｄｅｄ  Ｐｏｌｙ−Ｓｔｙｒｏｌ）が使用される。その構造等は特に限定されないが、基台となる嵩上げ台２１と、この上に積み重ねられる上載せ台２２及び勾配台２３からなるものが適している。そのなかで嵩上げ台２１は、数百ｍｍ程度の高さを有して直立状、積み上げ状での安定性があるブロック体であって、その形態、断面形状等は限定されない。
【００２１】
より適合するものは、図４に示すように、Ｅ字状の断面形状を有する２つの嵩上げ片２１Ａ、２１Ｂを、互いの側片２１ａ及び中央片２１ｂを向かい合わせて接合して、部分的に中空にして軽量化したものである。この場合、簡単且つ強固に接合できるように、各々の側片２１ａの端縁に中央溝２１ｃ又は中央突起２１ｄを設けて、互いの側片２１ａ同士を中央溝２１ｃと中央突起２１ｄの嵌め合いで固着している。
【００２２】
そして、上載せ台２２は、嵩上げ台２１の高さに対して４分の１にも満たない程度の厚さを有する薄厚平板状のブロック体が適している。
【００２３】
また、勾配台２３は、嵩上げ台２１の横幅に対して３倍強の長さを有して、上面が所定の角度で傾斜して勾配するブロック体が適している。
【００２４】
このように構成される水受け２は、擁壁１の底版１１に所定の組み合わせで背面版１２の背面に沿って上方に組み立てられるが、擁壁１に対する水受け２の組み立てについて説明すると、まず、背面版１２の背面には、必要に応じて、天端付近から水抜き穴１２ａの下方にまで渡って、不織布等からなって吸水性が良く背面土Ｇ１ａ等を通さない透水マット３がコンクリート釘３１等で止着されて、水抜き穴１２ａの開口部分が塞がれている。
【００２５】
そして、背面版１２を基準にして、底版１２の１列目、２列目に嵩上げ台２１が３段重ねで敷き詰められ、その上方に上乗せ台２２が載せられているが、背面版１２の水抜き穴１２ａに面する中央は、１段の嵩上げ台２１に上載せ台２２が載せられたのみで落ち込んでいる。３列目、４列目には１段の嵩上げ台２１が敷かれ、その上に２つの勾配台２３が薄厚の先端部を合わせながら平行に載せられている。なお、嵩上げ台２１は、圧縮強度をもたせるためにＥ字形端面が上方に向くように配置されている。
【００２６】
この組み合わせでは、水受け２の上方に、上載せ台２２の部分的な積み数の増減による凹部４ａ、及び、勾配台２３による勾配部４ｂでＴ字形状の落ち込みが形成され、この落ち込み部分が排水路４（第１形態）となる。この排水路４においては、凹部４ａの底面と勾配部４ｂの谷間の高さが背面版１２の水抜き穴１２ａと略同じ高さ位置となるように設定されている。
【００２７】
このようにして組み立てられる水受け２は、背面版１２を所定間隔で仕切るバットレス１３間にそれぞれ設けられるが、背面版１２の高さ、水抜き穴１２ａの高さ、底版１１の奥行き長さ等によって、嵩上げ台２１の列数や積み数を増減して組み立てられる。
【００２８】
このような水受け２は、軽量で且つ一部分割できるので現場搬入が容易で、狭い敷地内への運搬も無理無く簡単に行なえるという利点があると共に、作業も敷き詰め、組み立てによるので労力を要さず簡単に行なえるという利点がある。
【００２９】
また、この場合、成形する段階で予め嵩上げ台２１、上載せ台２２自体の高さを設定するようにしてもよく、合成樹脂発泡体からなって現場加工が容易であるので、施工現場で熱線ワイヤーやチェーンソー等によって切断加工して嵩上げ台２１、上載せ台２２自体の高さを調節するようにしてもよい。一方、嵩上げ台２１、上載せ台２２、勾配台２３の列数の設定は、地耐力、背面版１２の高さ、底版１１の奥行き長さ等に応じて適宜選択して決定される。
【００３０】
このようにして擁壁１の底版１１に水受け２を組み立てた後は、背面版１２の背面側に土砂の埋め戻を行なって、予め盛土した高地盤Ｇ１  の高さまで覆土すればよい。
【００３１】
この築造方法によれば、図５等に示すように、擁壁１の背面版１２の背面周辺の背面土Ｇ１ａに降雨等した場合、この背面土Ｇ１ａ内に浸透する雨水等の浸透水ｗは水受け２に到達した時点で、落ち込んだ排水路４を通じて背面版１２に貼着した透水マット３に吸水されると共に、そこから滲み出て水抜き穴１２ａにまで導かれて前面側へ迅速に排水される。特に、勾配台２３付近に到達する浸透水ｗは、その勾配部４ｂの勾配によって谷間へと集中的に導かれて凹部４ａに流れる。また、背面版１２付近に浸透する浸透水ｗは、効率よく透水マット３に吸水され、そこから滲み出た浸透水ｗが水抜き穴１２ａを通じて排水されることになる。その結果、背面版１２の背面周辺の背面土Ｇ１ａの締め固めが迅速化されて、維持、補強がより一層高められることになる。
【００３２】
これに加えて、図２に想像線で示すように、必要に応じて、擁壁１の背面版１２の背面に所定間隔を開けて同様な透水マット３を複数枚貼着しても差し支えない。この場合、特に背面版１２付近を浸透する浸透水ｗが透水マット３に集中的に吸水され易く、そこから滲み出る浸透水ｗが水受け２に受けられ易くなって効率よく排水路４に流れるので、浸透水ｗの排水がより一層高められる。
【００３３】
次に、具体的な作用効果について説明する。水受け２をコンクリート製から合成樹脂発泡体に代えることによって、まず、材質の違いによるコスト低減が図られると共に、施工後に養生期間を要しないので工期の短縮化が図られて施工性が向上して初期の目的が達成される。
【００３４】
そして、明確なせん断領域が発生しないと共に、撥水性を有して吸水による材料特性の変化が発生しないので、従来の水受けコンクリートのように亀裂割れが起こることがなく、本来の機能である浸透水ｗを受けて排水する役目が損なわれない。
【００３５】
加えて、図５に示すように、擁壁１の背面版１２の背面に嵩高い水受け２を設けることによって、埋め戻す背面土Ｇ１ａの量が少なくなって重さが軽減される。それと共に、水受けの材質である合成樹脂発泡体は、単位体積重量が０．０１〜０．０３（ｔｆ／ｍ３  ）の範囲で土砂の約１／１００程度の重量となるので、その結果、擁壁１の自重、背面土Ｇ１ａの重さ、土圧Ｇｐ、及び水受け２の軽量化も伴って、底版１１下の地盤Ｇに伝わる力ｐが相対的に分散されて、擁壁１の傾き、倒壊、沈下が防がれて軟質地盤への適用が容易となり、その適用範囲の拡大化につながる。
【００３６】
また、図示しないが、軟質地盤では底版１１下に鋼管杭の打ち込みを併用できるので、この場合、より一層に擁壁１の傾き、倒壊、沈下の防止を図れる。特に、地盤Ｇに伝わる力ｐが分散されるので、打ち込み本数を少なくすることができてコスト低減、労力の低減につながる。
【００３７】
以上、擁壁１の築造方法について説明したが、適用されるものとしては、図示するＲＣ造バットレス（控え壁）式擁壁のみに限定されず、その擁壁１の種類は問わない。また、擁壁１の築造は、擁壁１を崖壁面に面して配する場合、予め造成されていた段差のある低地盤と高地盤の境界をなす法面に面して配する場合、水平な地盤を段切りすることによって形成された法面に面して配する場合、その他の場合等においても適用できる。
【００３８】
続いて、水受け２の排水路４の他の形態について説明する。例えば、図６に示すように、３列構成のものを例示すると、第２形態として、底版１１の奥行き方向及び長手方向に必要に応じて数段に積み上げた嵩上げ台２１が敷き詰められている。そして、その上で、１列目、２列目に上載せ台２２が２段重ねで敷き詰められ、背面版１２の水抜き穴１２ａに直面する部分、図示例では１列目、２列目の中央のみが１段重ねになっている。３列目には、２つの勾配台２３が薄厚の先端部を合わせながら平行に載せられると共に、その両側に上載せ台２２が２段重ねで敷き詰められている。
【００３９】
第３形態では、図７に示すように、擁壁１の背面版１２の水抜き穴１２ａに直面して、基台となる嵩上げ台２１の１列目に薄厚の先端部を合わせた２つの勾配台２３を平行に積み重ねて、２列目、３列目に２段重ねの上載せ台２２を敷き詰めて、そのうちで水抜き穴１２ａと対向する部分のみ１段重ねにして、比較的に幅広い凹部を設けるようにしている。
【００４０】
この場合、排水路４の凹部４ａが拡大されて底面の面積が大きくなると共に、勾配部４ｂの谷間が背面版１２の水抜き穴１２ａに直面しているので、浸透水ｗを水抜き穴１２ａに導き易くなって作用効果が高められる。
【００４１】
第４形態では、図８に示すように、背面版１２の水抜き穴１２ａに直面して、嵩上げ台２１の１列目及び２列目に薄厚の先端部を合わせた２つの勾配台２３を平行に積み重ねて幅広い勾配部を形成して、３列目に２段重ねの上載せ台を敷き詰めて、そのうちで水抜き穴１２ａと対向する部分のみ１段重ねにして幅広い凹部４ａを設けるようにしている。
【００４２】
この場合、排水部４の勾配部４ｂが拡大されるので、浸透水ｗを水抜き穴１２ａにより一層導き易くなって作用効果がより高められる。
【００４３】
第５形態では、図９に示すように、背面版１２の水抜き穴１２ａに直面して、嵩上げ台２１の１列目、２列目、３列目共に薄厚の先端部を合わせた２つの勾配台２３を平行に積み重ねて、さらに幅広い勾配部を形成するようにしている。
【００４４】
この場合、背面版１２の水抜き穴１２ａに直面して全面的に勾配部４ｂが敷き詰められるので、浸透水ｗを水抜き穴１２ａにさらに一層導き易くなって作用効果がさらに高められる。
【００４５】
これら第２乃至第５形態は、ともに排水路４を塞がないようにすれば、その上に、必要に応じて嵩上げ台２１、上乗せ台２２を載せて嵩上げするようにして、背面土Ｇ１ａの量を減らすようにするのが好ましい。
【００４６】
【発明の効果】
以上のような内容から、請求項１の発明では、地盤に水抜き穴を有する背面版と底版とからなる擁壁を構築した後、前記底版上に合成樹脂発泡体を積み重ねて水受けを形成してから、前記背面版の背面側を土砂で埋め戻して覆土して、この背面土内を浸透する浸透水を前記水受けで受けると共に擁壁の水抜き穴に導いて排水するようにしたことに特徴をもたせたので、
水受けをコンクリート製から合成樹脂発泡体に換えることによる材質の違いによってコスト低減が図られると共に、施工後に養生期間を要しないので工期の短縮化が図られて施工性が向上する。
【００４７】
そして、明確なせん断領域が無くて撥水性を有して吸水による材料特性の変化が発生しないので、亀裂割れが起こることがなく、本来の機能である浸透水を受けて排水する役目が損なわれない。
【００４８】
また、嵩高い水受けによって、擁壁の背面版の背面側に土砂で埋め戻した背面土の量が少なくなって重さが軽量化されて、擁壁の自重、背面土の重さ、土圧によって、底版下の地盤に伝わる力が相対的に分散する。その結果、擁壁の傾き、倒壊、沈下等の防止となると共に、特に軟質地盤への適用が容易となって使用範囲の拡大化が図れる。
【００４９】
更に、背面土の重さの軽減によって、軟質地盤に擁壁を築造する場合での底版下への鋼管杭の打ち込み本数を低減することができるので、コスト低減、労力の低減につながる。
【００５０】
そして、請求項２の発明では、請求項１の発明において、前記水受けの上面に部分的に落ち込んだ排水路を設けて、擁壁の背面版の背面側に埋め戻した背面土内を浸透する浸透水を水受けで受けると共に、前記排水路を通じて擁壁の背面版に設けた水抜き穴に導いて排水するようにしたことに特徴をもたせたので、
前記効果に加えて、背面土内に浸透する雨水等の浸透水を水受けで受けると共に、その排水路を通じて擁壁の背面版の水抜き穴に迅速に導き流して排水することができる。その結果、背面土の早期締め固めを行なえて、地盤の維持、補強がより一層高められる。
【００５１】
また、請求項３の発明では、請求項１又は２の発明において、前記擁壁の背面版の水抜き穴の下方から天端付近までの背面域に透水マットを敷設して、背面土内を浸透する浸透水を吸水して前記水抜き穴に導き流すようにしたことに特徴をもたせたので、
請求項２の発明の効果に加えて、背面土内を浸透する浸透水は透水マットに到達して効率よく吸水されて、そこから滲み出る浸透水が水抜き穴に導き流されて排水が行なわれ、背面土の締め固めが更に迅速化される。
【００５２】
更に、請求項４の発明では、請求項２又は３の発明において、前記水受けを擁壁の底版に載せる嵩上げ台と、該嵩上げ台に積み重ねる上載せ台及び勾配台で構成して、擁壁の底版に嵩上げ台を敷き詰めると共に、この上方に上載せ台及び勾配台を所定の組み合わせで積み重ねて前記排水路を設けるようにしたことに特徴をもたせたので、
請求項２又は３の発明の効果に加えて、嵩上げ台、上載せ台及び勾配台の敷き詰め、積み重ね、組み合わせの仕方によって、排水路の形態、位置を必要に応じて自由に設定することが可能となる。
【００５３】
そして更に、請求項５の発明では、請求項４の発明において、前記水受けの嵩上げ台は、その内部が中空であることに特徴をもたせたので、
請求項４の発明の効果に加えて、嵩上げ自体が内部の中空によって軽量化されるので、さらに水受け全体の軽量化につながって背面土の重さを軽減することが可能となり、地盤に伝わる力をさらに軽減することができる。
【図面の簡単な説明】
【図１】この発明の実施の一態様を示す断面説明図。
【図２】この発明の実施の一態様を示す背面説明図。
【図３】この発明の実施の一態様を示す斜視説明図。
【図４】水受けの嵩上げ台を示す分解斜視図。
【図５】この発明の実施例の一態様の作用状態を示す断面説明図。
【図６】排水部の第２形態を示す説明図。
【図７】排水部の第３形態を示す説明図。
【図８】排水部の第４形態を示す説明図。
【図９】排水部の第５形態を示す説明図。
【図１０】従来例を示す説明図。
【符号の説明】
１  擁壁
１１  底版
１２  背面版
１２ａ  水抜き穴
２  水受け
２２  嵩上げ台
２３  上載せ台
２４  勾配台
３  透水マット
４  排水部
Ｇ  地盤
Ｇ１ａ  背面土
ｗ  浸透水
【図１】
0003629927.tif 000002
【図２】
0003629927.tif 000003
【図３】
0003629927.tif 000004
【図４】
0003629927.tif 000005
【図５】
0003629927.tif 000006
【図６】
0003629927.tif 000007
【図７】
0003629927.tif 000008
【図８】
0003629927.tif 000009
【図９】
0003629927.tif 000010
【図１０】
0003629927.tif 000011